【手続補正書】
【提出日】平成28年5月19日(2016.5.19)
【手続補正１】
【補正対象書類名】特許請求の範囲
【補正対象項目名】全文
【補正方法】変更
【補正の内容】
【特許請求の範囲】
【請求項１】
入力された指示に応じて、表示オブジェクトをスクロールさせることが可能な表示制御装置であって、
前記表示制御装置を操作するユーザが触感として感知可能な刺激を発生させる触感生成手段と、
指示に応じたスクロールにより、スクロール対象の区切りの位置が、予め定めた位置を通過する場合に、前記触感生成手段によって前記刺激を発生させるように制御する制御手段と
を有することを特徴とする表示制御装置。
【請求項２】
前記予め定められた位置が、前記スクロールの方向に応じて異なることを特徴とする請求項１に記載の表示制御装置。
【請求項３】
前記予め定められた位置は、他のスクロール方向である場合よりも、スクロール方向の上流側であることを特徴とする請求項２に記載の表示制御装置。
【請求項４】
前記指示がタッチパネルに対するタッチ操作によるものであることを特徴とする請求項１乃至３のいずれか１項に記載の表示制御装置。
【請求項５】
前記刺激は、前記タッチパネルに触れている場合に触感として感知可能であることを特徴とする請求項４に記載の表示制御装置。
【請求項６】
前記制御手段は、前記タッチ操作が、タッチしたままタッチ位置を移動させるドラッグ操作であった場合に、該ドラッグ操作によるタッチ位置の移動に応じて前記スクロールを行うとともに、該ドラッグ操作中に該スクロールに応じて前記区切りの位置が前記タッチパネル上の前記予め定めた位置となると前記触感生成手段によって前記刺激を発生させるように制御することを特徴とする請求項４または５に記載の表示制御装置。
【請求項７】
前記制御手段は、前記タッチパネルに表示された特定のタッチアイテムに対する、タッチ位置の移動を伴わないタッチ操作に応じて前記スクロールを行うとともに、該特定のタッチアイテムに対する前記タッチ操作に応じた該スクロールによって前記区切りの位置が前記予め定めた位置を通過する場合、該スクロールによって前記区切りの位置が前記予め定められた位置を通過するより前に、前記触感生成手段によって前記刺激を発生させることを特徴とする請求項４乃至６のいずれか１項に記載の表示制御装置。
【請求項８】
前記制御手段は、前記タッチパネルに表示された特定のタッチアイテムに対する、タッチ位置の移動を伴わないタッチ操作に応じて前記スクロールを行うとともに、該特定のタッチアイテムに対する前記タッチ操作に応じた該スクロールによって前記区切りの位置が前記予め定めた位置を通過する場合、前記タッチパネル上で刺激を発生させる位置を、前記スクロールに伴って前記タッチ操作のタッチ位置を跨ぐように移動させることを特徴とする請求項４乃至６のいずれか１項に記載の表示制御装置。
【請求項９】
前記制御手段は、前記区切りの位置が前記予め定めた位置を通過する場合に、前記触感生成手段に該区切りの種類に応じた異なる刺激を発生させることを特徴とする請求項１乃至８のいずれか１項に記載の表示制御装置。
【請求項１０】
前記制御手段は、区切りの種類が上位階層の区切りである場合の方が下位階層の区切りである場合よりも大きい刺激を発生させることを特徴とする請求項９に記載の表示制御装置。
【請求項１１】
前記制御手段は、前記区切りの位置を示す表示はしないことを特徴とする請求項１乃至１０のいずれか１項に記載の表示制御装置。
【請求項１２】
前記制御手段は、スクロール対象の表示オブジェクトとして複数の表示アイテムを分類して表示するように制御し、前記区切りは、該分類における区切りであることを特緒とする請求項１乃至１１のいずれか１項に記載の表示制御装置。
【請求項１３】
前記制御手段は、前記複数の表示アイテムを時間に関する単位に基づいて分類して表示することを特徴とする請求項１２に記載の表示制御装置。
【請求項１４】
前記制御手段は、スクロール対象の表示オブジェクトの端点以外に設けられた複数の区切り位置のそれぞれが前記予め定めた位置を通過する場合に、前記触感生成手段によって前記刺激を発生させるように制御することを特徴とする請求項１乃至１３のいずれか１項に記載の表示制御装置。
【請求項１５】
入力された指示に応じて、複数の項目を含んだ表示オブジェクトをスクロールさせることが可能な表示制御装置であって、
前記表示制御装置を操作するユーザが触感として感知可能な刺激を生成する触感生成手段と、前記複数の項目のうち、予め定められた位置に表示された項目が属するカテゴリに応じた異なる刺激を前記触感生成手段によって発生させるように制御する制御手段と
を有することを特徴とする表示制御装置。
【請求項１６】
前記指示がタッチパネルに対するタッチ操作によるものであることを特徴とする請求項１５に記載の表示制御装置。
【請求項１７】
前記刺激は、振動による刺激であることを特徴とする請求項１乃至１６のいずれか１項に記載の表示制御装置。
【請求項１８】
前記刺激は、電気的な刺激であることを特徴とする請求項１乃至１６のいずれか１項に記載の表示制御装置。
【請求項１９】
表示制御装置を操作するユーザが触感として感知可能な刺激を発生させる触感生成手段を有し、入力された指示に応じて、表示オブジェクトをスクロールさせることが可能である表示制御装置の制御方法であって、
指示に応じたスクロールにより、スクロール対象に予め設定された区切りの位置が、予め定めた位置を通過する場合に、前記触感生成手段によって前記刺激を発生させるように制御する制御ステップを有することを特徴とする表示制御装置の制御方法。
【請求項２０】
表示制御装置を操作するユーザが触感として感知可能な刺激を生成する触感生成手段を有し、入力された指示に応じて、複数の項目を含んだ表示オブジェクトをスクロールさせることが可能な表示制御装置の制御方法であって、
前記複数の項目のうち、予め定められた位置に表示された項目が属するカテゴリに応じた異なる刺激を前記触感生成手段によって発生させるように制御する制御ステップを有することを特徴とする表示制御装置の制御方法。
【請求項２１】
コンピュータを、請求項１から１８のいずれか１項に記載の表示制御装置の各手段として機能させるためのプログラム。
【請求項２２】
コンピュータを、請求項１から１８のいずれか１項に記載の表示制御装置の各手段として機能させるためのプログラムを記録したコンピュータが読み取り可能な記録媒体。
【手続補正２】
【補正対象書類名】明細書
【補正対象項目名】００１５
【補正方法】変更
【補正の内容】
【００１５】
ＣＰＵ１０１、メモリ１０２、不揮発性メモリ１０３、画像処理部１０４、ディスプレイ１０５、操作部１０６、記録媒体Ｉ／Ｆ１０７、外部Ｉ／Ｆ１０９、振動生成部１１０、電気的触感生成部１１１がそれぞれ内部バス１５０に接続されている。内部バス１５０に接続される各部は、内部バス１５０を介して互いにデータを送受信可能である。
【手続補正３】
【補正対象書類名】明細書
【補正対象項目名】００４０
【補正方法】変更
【補正の内容】
【００４０】
図３に示すフローチャートを用いて、上述したスクロール表示動作に係るＣＰＵ１０１の動作を説明する。
Ｓ３０１でＣＰＵ１０１は、操作部１０６のタッチパネル１０６ａをチェックし、タッチダウンがあったか否かを判定する。タッチダウンが検出された場合にはＳ３０２へ進める。タッチダウンが検出されない場合、ＣＰＵ１０１は、Ｓ３１３での終了イベント検出とＳ３０１でのタッチダウン検出とを繰り返す。
【手続補正４】
【補正対象書類名】明細書
【補正対象項目名】００４１
【補正方法】変更
【補正の内容】
【００４１】
Ｓ３０２でＣＰＵ１０１は、Ｓ３０１にてタッチダウンが検出された位置がドラッグ操作可能な領域２０２内かどうかを判定し、ドラッグ操作可能な領域２０２内の場合には処理をＳ３０３へ進める。ドラッグ操作不可能な領域でタッチダウンが検出された場合、ＣＰＵ１０１はＳ３１３に処理を進め、Ｓ３１３で終了イベントが検出されなければＳ３０１で再びタッチダウン検出を行う。
【手続補正５】
【補正対象書類名】明細書
【補正対象項目名】００４９
【補正方法】変更
【補正の内容】
【００４９】
Ｓ３１２でＣＰＵ１０１は、タッチパネル１０６ａをチェックし、タッチアップを検出したかどうかを判定し、タッチアップが検出された場合には、Ｓ３１３に処理を進め、タッチアップが検出されなかった場合には処理をＳ３１４に進める。
【手続補正６】
【補正対象書類名】明細書
【補正対象項目名】００６９
【補正方法】変更
【補正の内容】
【００６９】
Ｓ３０２で、検出されたタッチダウンがドラッグ可能領域外であると判定された場合、Ｓ６１３でＣＰＵ１０１は、Ｓ３０１にてタッチダウンが検出された位置が、スクロールボタン領域内かどうかを判定する。ＣＰＵ１０１は、タッチダウンがスクロールボタン領域内で検出されていてればＳ６１４へ、そうでない場合にはＳ３１３へ、処理を進める。
【手続補正７】
【補正対象書類名】明細書
【補正対象項目名】００７６
【補正方法】変更
【補正の内容】
【００７６】
Ｓ６１８でタッチアップが検出された場合、Ｓ６２３でＣＰＵ１０１は、予定スクロール量分のスクロールが完了したか判定し、完了した場合にはＳ３１３へ、完了していなければＳ６２４へ、処理を進める。
Ｓ６２４でＣＰＵ１０１は、サムネイル表示画面を一定量、指定された方向にスクロールさせ、処理をＳ６２３に戻す。
【手続補正８】
【補正対象書類名】明細書
【補正対象項目名】００７７
【補正方法】変更
【補正の内容】
【００７７】
予定スクロール量分のスクロールを行う間に、区切り通過判定位置Ｐ３をページ区切りが通過するが、スクロールを開始する前（Ｓ６１７）から触感の発生を開始しているため、ユーザがタッチアップする前に、触感を与えることができる可能性が高い。なお、ここでは触感発生位置をスクロールに従って移動させた。しかし、感触発生位置を移動させずに、Ｓ６１７で、タッチ操作されている位置（タッチ位置）に対して触感を発生させるだけ（この場合、Ｓ６１９，Ｓ６２０の処理は省かれる）でも、ユーザにページ区切りの存在を触感で知らせるという効果は実現できる。このＳ６１７でタッチ位置に触感を発生させる方法は、触感発生位置を移動する方法に比べて、触感によってスクロール方向を識別させることは難しいが、タッチアップ前に確実に触感を与えることができる点については優位である。
【手続補正９】
【補正対象書類名】図面
【補正対象項目名】図２
【補正方法】変更
【補正の内容】
【図２】
2014229150.tif 000001
【手続補正１０】
【補正対象書類名】図面
【補正対象項目名】図６
【補正方法】変更
【補正の内容】
【図６】
2014229150.tif 000002
【手続補正１１】
【補正対象書類名】図面
【補正対象項目名】図８
【補正方法】変更
【補正の内容】
【図８】
2014229150.tif 000003